(57)【要約】【課題】所望する場所で列車の運行情報を提供できるようにする。【解決手段】運行情報表示装置１において、キャスター５０を有し、移動可能に構成された筐体１０と、筐体１０に設けられ、列車の運行情報を表示可能なディスプレイ２０と、を備え、ディスプレイ２０は、少なくとも一部が筐体１０から突出して表示部２１が視認可能な第１状態と、筐体１０の内部に収納されて表示部２１が視認不能な第２状態と、に変換可能に構成されている。【選択図】図１
2015093490.tif 000002
【特許請求の範囲】
【請求項１】
キャスターを有し、移動可能に構成された筐体と、
前記筐体に設けられ、列車の運行情報を表示可能なディスプレイと、を備え、
前記ディスプレイは、少なくとも一部が前記筐体から突出して表示部が視認可能な第１状態と、前記筐体の内部に収納されて表示部が視認不能な第２状態と、に変換可能であることを特徴とする運行情報表示装置。
【請求項２】
前記ディスプレイは、前記第１状態において、少なくとも一部が前記筐体の上面に設けられた上面開口から突出して表示部が視認可能であることを特徴とする請求項１に記載の運行情報表示装置。
【請求項３】
表示部が前記筐体の前面に設けられた前面開口から常時露出している第２ディスプレイを備えることを特徴とする請求項１または２に記載の運行情報表示装置。
【請求項４】
内部電源と外部電源との双方を使用可能であり、
前記内部電源は、前記外部電源からの電力を用いて充電可能であることを特徴とする請求項１から３の何れか一項に記載の運行情報表示装置。
【請求項５】
請求項１から４の何れか一項に記載の運行情報表示装置と、
前記運行情報表示装置に運行情報を配信する情報配信手段と、
オペレータの入力に基づいて、複数種類の運行情報の中から前記運行情報表示装置に表示させる運行情報を選択する情報選択手段と、を備え、
前記情報配信手段は、前記情報選択手段によって選択された運行情報を、前記運行情報表示装置に配信することを特徴とする運行情報提供システム。
【請求項６】
前記情報配信手段は、前記運行情報として、列車の遅延および運休を含む異常が発生したことを案内する異常時案内用運行情報を配信可能であることを特徴とする請求項５に記載の運行情報提供システム。
【発明の詳細な説明】
【技術分野】
【０００１】
本発明は、列車の運行情報を表示可能な運行情報表示装置および当該運行情報表示装置によって列車の運行情報を列車利用者に提供可能な運行情報提供システムに関する。
【背景技術】
【０００２】
従来、列車の運行を管理する運行管理システムから列車情報を受信し、この受信した列車情報と駅連動装置から取得される駅構内の連動情報に基づき、駅の旅客案内を行うように制御する旅客案内制御装置、およびこの旅客案内制御装置によって制御される旅客案内を出力する旅客案内装置（音声によって旅客案内を行う放送装置および表示によって旅客案内を行う発車標装置の少なくとも何れか一方）を備えたことを特徴とする旅客案内システムが知られている（特許文献１参照）。
【先行技術文献】
【特許文献】
【０００３】
【特許文献１】特開２００５−２１２５２６号公報
【発明の概要】
【発明が解決しようとする課題】
【０００４】
しかしながら、放送装置を用いて旅客案内を行う場合、放送頻度が高くないため、旅客案内を聞き逃してしまうことが多く、聞き逃してしまった場合には知りたい旅客案内が次に放送されるまで待たなければならないという問題がある。
【０００５】
一方、発車標装置を用いて旅客案内を行う場合、発車標装置に運行情報が常時表示されるため、旅客案内を見逃してしまうことが少ない。
しかし、発車標装置は、駅のコンコースやホームに設置されているので、発車標装置に表示される運行情報を視認するためには、駅の改札内に入らなければならないことが多い。そのため、列車利用者は、自然災害、事故、車両や線路設備の故障等の影響で乗車する予定の列車が遅延や運休した場合、そのことを知らずに駅の改札内に入ってしまうことがある。したがって、駅の改札内に入った後に乗車する予定の列車が遅延や運休していることを知って、乗車する予定の列車を、他の路線や他の駅から発車する列車に変更する際には、再び改札外に出るために運賃の払い戻し等の手続きを行わなければならず、列車利用者にも駅員にも負担がかかるという問題がある。
【０００６】
本発明の目的は、所望する場所で列車の運行情報を表示可能な運行情報表示装置および当該運行情報表示装置によって列車の運行情報を列車利用者に提供可能な運行情報提供システムを提供することにある。
【課題を解決するための手段】
【０００７】
上記目的を達成するため本発明は、運行情報表示装置であって、
キャスターを有し、移動可能に構成された筐体と、
前記筐体に設けられ、列車の運行情報を表示可能なディスプレイと、を備え、
前記ディスプレイは、少なくとも一部が前記筐体から突出して表示部が視認可能な第１状態と、前記筐体の内部に収納されて表示部が視認不能な第２状態と、に変換可能である。
したがって、運行情報表示装置は移動可能であるため、駅の改札内だけでなく改札外にも設置することができ、駅員や列車利用者などが所望する場所で列車の運行情報を表示することができる。
また、ディスプレイを筐体の内部に収納できるため、運行情報表示装置の移動を楽に行うことができる。
【０００８】
また、望ましくは、前記ディスプレイは、前記第１状態において、少なくとも一部が前記筐体の上面に設けられた上面開口から突出して表示部が視認可能であるように構成する。
このように構成することで、使用状態のディスプレイが、収納状態のディスプレイよりも高い位置に配置されるため、より遠くから表示部を視認することができる。
また、ディスプレイを収納状態にすると、運行情報表示装置を低くすることができるため、運行情報表示装置の移動をより楽に行うことができるとともに、運行情報表示装置の移動可能範囲を広げることができる。
【０００９】
また、望ましくは、表示部が前記筐体の前面に設けられた前面開口から常時露出している第２ディスプレイを備えるように構成する。
このように構成することで、２つのディスプレイを備えることになるため、同時に複数の運行情報を表示することが可能となる。
【００１０】
また、望ましくは、内部電源と外部電源との双方を使用可能であり、
前記内部電源は、前記外部電源からの電力を用いて充電可能であるように構成する。
このように構成することで、運行情報表示装置を外部電源が使用できない場所にも設置することができるため、運行情報表示装置の設置可能範囲を広げることができる。
また、列車の遅延や運休などの異常が発生していない通常時には、運行情報表示装置を外部電源が使用できる場所に設置して内部電源を充電することができるため、その後、列車の遅延や運休などの異常が発生して、運行情報表示装置を外部電源が使用できない場所に移動させた場合であっても、運行情報表示装置によって運行情報を長時間表示することができる。
【００１１】
また、本出願の他の発明は、運行情報提供システムであって、
前記運行情報表示装置と、
前記運行情報表示装置に運行情報を配信する情報配信手段と、
オペレータの入力に基づいて、複数種類の運行情報の中から前記運行情報表示装置に表示させる運行情報を選択する情報選択手段と、を備え、
前記情報配信手段は、前記情報選択手段によって選択された運行情報を、前記運行情報表示装置に配信する。
したがって、オペレータの入力に基づいて運行情報表示装置に表示させる運行情報の種類を選択可能であるため、運行情報表示装置によって、オペレータの所望する種類の運行情報を提供することができる。
【００１２】
また、望ましくは、前記情報配信手段は、前記運行情報として、列車の遅延および運休を含む異常が発生したことを案内する異常時案内用運行情報を配信可能であるように構成する。
このように構成することで、異常時案内用運行情報を運行情報表示装置に表示することができるため、運行情報表示装置によって、列車の遅延および運休を含む異常が発生したことを案内することができる。
【発明の効果】
【００１３】
本発明によれば、運行情報表示装置は移動可能であるため、駅の改札外にも設置することができ、駅員や列車利用者などが所望する場所で列車の運行情報を提供することができる。
【図面の簡単な説明】
【００１４】
【図１】本発明の第１実施形態にかかる運行情報表示装置を示す図であって、（ａ）は正面図であり、（ｂ）は側面図である。
【図２】本発明の第１実施形態にかかる運行情報表示装置においてディスプレイが収納された状態を示す図であって、（ａ）は正面図であり、（ｂ）は側面図である。
【図３】本発明の第１実施形態にかかる運行情報提供システムの全体構成を示す図である。
【図４】本発明の第１実施形態にかかる運行情報提供システムが備える設定用タブレット端末と、それに表示される設定画面の一例を示す図である。
【図５】本発明の第１実施形態にかかる運行情報提供システムが備える設定用タブレット端末と、それに表示される設定画面の一例を示す図である。
【図６】本発明の第１実施形態にかかる運行情報提供システムが備える設定用タブレット端末と、それに表示される設定画面の一例を示す図である。
【図７】本発明の第１実施形態にかかる運行情報提供システムによる、運行情報表示装置の表示切替処理の一例を示すフローチャートである。
【図８】本発明の第１実施形態の変形例にかかる運行情報提供システムによる、運行情報表示装置の表示切替処理の一例を示すフローチャートである。
【図９】本発明の第２実施形態にかかる運行情報表示装置を示す図であって、（ａ）は正面図であり、（ｂ）は側面図である。
【図１０】本発明の第２実施形態にかかる運行情報提供システムによる、運行情報表示装置の表示切替処理の一例を示すフローチャートである。
【図１１】設定用タブレット端末に表示される設定画面の変形例を示す図である。
【発明を実施するための形態】
【００１５】
図面を参照しつつ、本発明にかかる運行情報表示装置および運行情報提供システムの実施形態について説明する。なお、以下に述べる実施形態（その変形例も含む。）には、本発明を実施するために技術的に好ましい種々の限定が付されているが、本発明の範囲を以下の実施形態および図示例に限定するものではない。
【００１６】
＜第１実施形態＞
まず、本発明の第１実施形態の運行情報表示装置１および運行情報提供システム１００について説明する。
【００１７】
〔運行情報表示装置〕
第１実施形態の運行情報表示装置１について説明する。
図１は、第１実施形態にかかる運行情報表示装置１を示す図であって、（ａ）は正面図であり、（ｂ）は側面図である。
また、図２は、第１実施形態にかかる運行情報表示装置１においてディスプレイ２０が収納された状態を示す図であって、（ａ）は正面図であり、（ｂ）は側面図である。
なお、以下の説明では、運行情報表示装置１の奥行き方向を前後方向として、運行情報表示装置１の正面を前面、背面を後面とし、運行情報表示装置１の高さ方向を上下方向、運行情報表示装置１の幅方向を左右方向とする。
【００１８】
本実施形態の運行情報表示装置１は、列車の運行情報を表示可能なディスプレイを備える可搬型の掲示板である。
具体的には、運行情報表示装置１は、主に、筐体１０と、筐体１０の内部に設けられた移動機構（図示省略）によって上下動可能に支持されるディスプレイ２０と、筐体１０の内部に配設された掲示板本体３０と、筐体１０の内部に配設された内部電源４０と、筐体１０を移動可能に支持するキャスター５０と、を備えて構成されている。
【００１９】
筐体１０は、掲示板本体３０のケースをなす上側筐体部１１と、上側筐体部１１を下方から支持する下側筐体部１２と、からなる。
【００２０】
上側筐体部１１は、前後方向の長さが、上下方向の長さや左右方向の長さよりも短く、左右方向の長さが、上下方向の長さよりも短い略直方体形状に形成されており、下面が開口面になっている。
上側筐体部１１の前面には、筐体１０の内部に配設された掲示板本体３０の掲示面を常時露出するための前面開口１１ａが形成されている。
また、上側筐体部１１の後面には、運行情報表示装置１を移動させる際等に把持される把持部１３が取り付けられている。
【００２１】
下側筐体部１２は、前後方向から見て略矩形状をなし（図１（ａ）や図２（ａ）参照）、左右方向から見て上端部よりも下端部の方が前後方向に長い略台形状をなすように（図１（ｂ）や図２（ｂ）参照）形成されている。すなわち、本実施形態の運行情報表示装置１は、下側筐体部１２によって、薄型の上側筐体部１１を安定的に支持して、移動時や設置時における運行情報表示装置１のぐらつきや転倒などを抑制できるよう構成されている。
下側筐体部１２は、上面が開口面になっており、この上面（開口面）が、上側筐体部１１の下面（開口面）と連通している。
【００２２】
ディスプレイ２０は、液晶ディスプレイ等の薄型のディスプレイであり、外部装置（例えば、後述する配信サーバ５００）から配信された所定の情報（例えば、列車の運行情報）を表示するためのものである。
具体的には、運行情報表示装置１は、外部装置との間で無線通信を行うための無線通信機を備えており、当該無線通信機は、外部装置と通信して所定の情報を受信し、受信した情報をディスプレイ２０へと出力し、ディスプレイ２０は、当該無線通信機からの情報を表示するよう構成されている。
【００２３】
ディスプレイ２０は、筐体１０の内部に設けられた移動機構（図示省略）によって支持されている。当該移動機構はディスプレイ２０を上下に移動させるための機構であり、ディスプレイ２０は、当該移動機構によって、表示部（表示領域）２１全体が視認可能となるように、筐体１０（具体的には、上側筐体部１１）の上面に設けられた上面開口から突出した使用状態（図１（ａ）参照）と、表示部２１全体が視認不能となるように、筐体１０の内部に収納されて掲示板本体３０の後方に配置された収納状態（図２（ａ）参照）と、に変換可能となっている。
【００２４】
すなわち、ディスプレイ２０は、少なくとも一部が筐体１０から突出して表示部２１が視認可能な第１状態（使用状態）と、筐体１０の内部に収納されて表示部２１が視認不能な第２状態（収納状態）と、に変換可能である。
本実施形態の場合、ディスプレイ２０は、第１状態（使用状態）において、少なくとも一部が筐体１０の上面に設けられた上面開口から突出して表示部２１が視認可能である。
【００２５】
本実施形態において、ディスプレイ２０を上下に移動させる移動機構は、ディスプレイ２０を収納状態で係止する係止手段（例えば、爪）や、使用状態になるようディスプレイ２０を上方向に付勢する付勢手段（例えば、バネ）などを備えて構成されている。そして、ディスプレイ２０は、駅員等が使用状態のディスプレイ２０（図１参照）を押し下げて筐体１０内に収納することで、係止手段によって係止されて収納状態が維持された状態となり、駅員等が収納状態のディスプレイ２０（図２参照）の上面を押圧しディスプレイ２０を押し下げることで、係止手段による係止が解除されて、付勢手段によって押し上げられて使用状態になるよう構成されている。
なお、ディスプレイ２０を移動させる移動機構の構成は、本実施形態の構成に限ることはなく、適宜任意に変更可能であり、例えば、ディスプレイ２０を手動で移動させる機構であってもよいし、ディスプレイ２０を電動で移動させる機構であってもよい。
【００２６】
なお、本実施形態では、より遠くから表示部２１を視認できるようにする等の観点から、使用状態のディスプレイ２０が掲示板本体３０よりも高い位置（すなわち、掲示板本体３０よりも上側の位置）に配置されるよう構成したが、これに限ることはなく、使用状態のディスプレイ２０と掲示板本体３０との位置関係は適宜任意に変更可能である。
例えば、ディスプレイ２０を左右方向に移動可能に構成して、使用状態のディスプレイ２０が掲示板本体３０よりも左側（あるいは、右側）の位置に配置されるよう構成することも可能である。具体的には、例えば、筐体１０の上面に設けられた上面開口に代えて、筐体１０の左側面（あるいは、右側面）に側面開口を設け、ディスプレイ２０を、少なくとも一部が当該側面開口から突出して表示部２１が視認可能な第１状態（使用状態）と、筐体１０の内部に収納されて表示部２１が視認不能な第２状態（収納状態）と、に変換可能にとなるよう構成してもよい。
【００２７】
掲示板本体３０は、広告用ポスター等の紙媒体を張り付けるためのものである。掲示板本体３０は、例えば、磁石や画鋲などを用いてポスター等を張り付けることができるよう構成されていてもよいし、掲示板本体３０と、筐体１０のうちの前面開口１１ａの周縁部と、の間に隙間を設けて、その隙間にポスター等を差し込むことで張り付けることができるよう構成されていてもよい。
なお、掲示板本体３０は、ホワイトボードであってもよい。この場合、ポスター等を張り付けることができるだけでなく、駅員等がホワイトボード用マーカー等を用いて所定の情報（例えば、列車の運行情報）を書き込むことができる。
【００２８】
内部電源４０は、リチウムポリマー電池等の充電可能な電池から構成されており、ディスプレイ２０等に電力を供給するためのものである。
【００２９】
さらに、運行情報表示装置１は、内部電源４０だけでなく、外部電源も使用可能に構成されている。
具体的には、本実施形態の運行情報表示装置１は、筐体１０（例えば、下側筐体部１２）から延出し、先端に差込プラグを有するコード（図示省略）を備えている。そして、当該差込プラグを駅に設置されたコンセントに差し込むことで、外部電源からの電力をディスプレイ２０等に供給したり、外部電源からの電力で運行情報表示装置１に内蔵された状態のままの内部電源４０を充電したりすることができるよう構成されている。
すなわち、運行情報表示装置１は、内部電源４０と外部電源との双方を使用可能であり、内部電源４０は、当該外部電源からの電力を用いて充電可能である。
【００３０】
キャスター５０は、運行情報表示装置１を移動可能とするためのものである。
本実施形態において、キャスター５０は、筐体１０（具体的には、下側筐体部１２）の下面四隅に取り付けられている。
【００３１】
〔運行情報提供システム〕
次に、第１実施形態の運行情報提供システム１００について説明する。
図３は、第１実施形態にかかる運行情報提供システム１００の全体構成を示す図である。
運行情報提供システム１００は、主に、運行情報表示装置１と、異常時案内ＤＰ（Display）システム装置２００と、異常時案内ＤＰシステム装置２００から配信される運行情報（異常時案内用運行情報）を表示するための異常時案内ディスプレイ２００ａと、新幹線発車標システム装置３００と、新幹線発車標システム装置３００から配信される運行情報（新幹線発車案内用運行情報）を表示するためのディスプレイからなる新幹線発車標３００ａと、駅情報提供ＤＰシステム装置４００と、駅情報提供ＤＰシステム装置４００から配信される運行情報（駅情報提供用運行情報）を表示するための駅情報提供ディスプレイ４００ａと、各システム装置から配信される運行情報を運行情報表示装置１に配信するための配信サーバ５００と、駅員等が所持する設定用タブレット端末６００と、を備えて構成されている。
運行情報提供システム１００は駅単位で導入されており、以下、運行情報提供システム１００が導入されている駅のうち任意の一の駅を「当駅」という。
【００３２】
異常時案内ＤＰシステム装置２００は、異常時案内ＤＰシステムの一部を構成する装置（あるいは、装置群）であり、例えば、当駅の事務室等に設置されている。
異常時案内ＤＰシステムは、異常時案内用運行情報（例えば、列車の遅延や運休などの異常が発生している路線（線区）名やその範囲、当該異常の原因、運転状況、運転再開見込み時間、振替路線等）を表示するための異常時案内ディスプレイ２００ａに、異常時案内用運行情報（具体的には、異常時案内用運行情報画像Ａ１を含む映像を表示するための映像データ）を配信するためのシステムである。
【００３３】
具体的には、異常時案内ＤＰシステムは、例えば、受信サーバや、駅配信サーバ、異常時案内ＤＰシステム装置（駅制御装置）２００、駅配信サーバと異常時案内ＤＰシステム装置２００とを接続する所定の通信ネットワーク（例えば、ＪＲ−ＩＰＮｅｔ）などによって構成されている。
受信サーバは、例えば、当該受信サーバと専用回線を介して接続する情報提供サーバから運行／振替輸送情報のデータ（例えば、ＸＭＬデータ）等を受信して、駅配信サーバに送信する装置である。
また、駅配信サーバは、例えば、受信サーバからの運行／振替輸送情報のデータ等をコード変換して、異常時案内ＤＰシステム装置２００に送信する装置である。
【００３４】
そして、異常時案内ＤＰシステム装置２００は、例えば、駅配信サーバからの運行／振替輸送情報のデータ等を、異常時案内用運行情報画像Ａ１を含む映像を表示するための映像データ（例えば、Ｆｌａｓｈ（登録商標）データ）に変換して、当駅の改札内等に設置されている異常時案内ディスプレイ２００ａに送信するよう構成されている。
これにより、異常時案内ディスプレイ２００ａに、異常時案内ＤＰシステム装置２００から送信された映像データに基づく映像（すなわち、異常時案内用運行情報画像Ａ１を含む映像）が表示されて、列車利用者等に提供される。
【００３５】
新幹線発車標システム装置３００は、新幹線発車標システムの一部を構成する装置（あるいは、装置群）であり、例えば、当駅の事務室等に設置されている。
新幹線発車標システムは、新幹線発車案内用運行情報（例えば、当駅から発車する新幹線の列車種別（名称）、発車時刻、行先、発車番線、停車駅等）を表示するための新幹線発車標３００ａに、新幹線発車案内用運行情報（具体的には、新幹線発車案内用運行情報画像Ａ２を含む映像を表示するための映像データ）を配信するためのシステムである。
【００３６】
具体的には、新幹線発車標システムは、例えば、指令端末や、運行管理中央装置、運行管理駅装置、新幹線発車標システム装置３００、運行管理中央装置と運行管理駅装置とを接続する所定の通信ネットワークなどによって構成されている。
指令端末は、例えば、新幹線ダイヤの入力や変更を行うための装置である。
また、運行管理中央装置は、例えば、指令端末からの入力を受け付け、新幹線ダイヤデータ等を管理したり、新幹線ダイヤデータ等を運行管理駅装置に送信したりする装置である。
また、運行管理駅装置は、例えば、当駅の事務室等に設置され、運行管理中央装置からの新幹線ダイヤデータ等に基づいて新幹線に運行指示を行ったり、運行管理中央装置からの新幹線ダイヤデータ等を新幹線発車標システム装置３００に送信したりする装置である。
【００３７】
そして、新幹線発車標システム装置３００は、例えば、運行管理駅装置からの新幹線ダイヤデータ等を、新幹線発車案内用運行情報画像Ａ２を含む映像を表示するための映像データに変換して、当駅の改札内等に設置されている新幹線発車標３００ａに送信するよう構成されている。
これにより、新幹線発車標３００ａに、新幹線発車標システム装置３００から送信された映像データに基づく映像（すなわち、新幹線発車案内用運行情報画像Ａ２を含む映像）が表示されて、列車利用者等に提供される。
【００３８】
ここで、本実施形態では、ＣＯＳＭＯＳ（Computerized Safety, Maintenance and Operation Systems of Shinkansen：新幹線総合システム）を構成するＰＩＣ（Passenger Information Control）端末が、新幹線発車標システム装置３００として機能する。すなわち、本実施形態では、ＣＯＳＭＯＳを構成する装置（具体的には、指令端末、運行管理中央装置、運行管理駅装置、およびＰＩＣ端末）によって、新幹線発車標システムを構成している。
無論、新幹線発車標システムは、ＣＯＳＭＯＳを構成する装置以外の装置によって構成されていてもよい。
【００３９】
駅情報提供ＤＰシステム装置４００は、駅情報提供ＤＰシステムの一部を構成する装置（あるいは、装置群）であり、例えば、当駅の事務室等に設置されている。
駅情報提供ＤＰシステムは、駅情報提供用運行情報（例えば、当駅から発車する列車の発車順序情報（列車の発車順序だけでなく、その列車の在線位置等を含んでもよい。）や、当駅から発車する列車の運休情報（列車の運休が発生している路線（線区）名やその範囲、運休する列車の列車種別（名称）等）、当駅から発車する列車の遅延情報（列車の遅延が発生している路線（線区）名やその範囲、当該遅延の原因、運転状況、運転再開見込み時間等）など）を表示するための駅情報提供ディスプレイ４００ａに、駅情報提供用運行情報（具体的には、駅情報提供用運行情報画像Ａ３を含む映像を表示するための映像データ）を配信するためのシステムである。
【００４０】
具体的には、駅情報提供ＤＰシステムは、例えば、ＩＣＥＳ（Interactive Communication Effective System）であり、情報発信端末や、駅情報提供ＤＰシステム装置（情報表示端末）４００、情報発信端末と駅情報提供ＤＰシステム装置４００とを接続する所定の無線通信ネットワーク（例えば、ＷｉＭＡＸ（Worldwide Interoperability for Microwave Access）ネットワーク）などによって構成されている。
情報発信端末は、例えば、当駅の事務室等に設置され、駅員等が列車運行管理システムを構成する端末（例えば、ＡＴＯＳ（Autonomous decentralized Transport Operation control System：東京圏輸送管理システム）端末やＣＯＳＭＯＳ端末など）に表示されている情報を参照しながら必要な情報を入力するための装置であり、当該入力された情報に基づいて駅情報提供用運行情報画像Ａ３を含む映像を表示するための映像データを生成して、駅情報提供ＤＰシステム装置４００に無線送信するよう構成されている。
【００４１】
そして、駅情報提供ＤＰシステム装置４００は、例えば、情報発信端末からの映像データに基づく映像（すなわち、駅情報提供用運行情報画像Ａ３を含む映像）を表示したり、情報発信端末からの映像データを、当駅の改札内等に設置されている駅情報提供ディスプレイ４００ａに送信したりするよう構成されている。
これにより、駅情報提供ディスプレイ４００ａに、駅情報提供ＤＰシステム装置４００から送信された映像データに基づく映像（すなわち、駅情報提供用運行情報画像Ａ３を含む映像）が表示されて、列車利用者等に提供される。
【００４２】
なお、情報発信端末は、駅員等が列車運行管理システムを構成する端末に表示されている情報を参照しながら入力した情報を、駅情報提供ＤＰシステム装置４００に無線送信し、駅情報提供ＤＰシステム装置４００は、情報発信端末からの情報に基づいて駅情報提供用運行情報画像Ａ３を含む映像を表示するための映像データを生成し、生成した映像データに基づく映像を表示したり、生成した映像データを当駅の改札内等に設置されている駅情報提供ディスプレイ４００ａに送信したりするよう構成することも可能である。
無論、駅情報提供ＤＰシステムは、ＩＣＥＳ以外のシステムであってもよい。
【００４３】
配信サーバ５００は、複数のシステム装置（本実施形態の場合、異常時案内ＤＰシステム装置２００、新幹線発車標システム装置３００、駅情報提供ＤＰシステム装置４００）から配信される運行情報を受信して、運行情報表示装置１に配信するための装置であり、例えば、当駅の事務室等に設置されている。
【００４４】
具体的には、配信サーバ５００は、異常時案内ＤＰシステム装置２００と異常時案内ディスプレイ２００ａとを接続するケーブルＫ１に接続されており、異常時案内ＤＰシステム装置２００から異常時案内ディスプレイ２００ａへと配信される異常時案内用運行情報（具体的には、異常時案内用運行情報画像Ａ１を含む映像を表示するための映像データ）が、配信サーバ５００にも配信されるよう構成されている。
なお、異常時案内ＤＰシステム装置２００から送信される映像データは、静止画像データであってもよいし、動画像データであってもよい。すなわち、異常時案内用運行情報画像Ａ１を含む映像は、静止画であってもよいし、動画であってもよい。
【００４５】
また、配信サーバ５００は、新幹線発車標システム装置３００と新幹線発車標３００ａとを接続するケーブルＫ２に接続されており、新幹線発車標システム装置３００から新幹線発車標３００ａへと配信される新幹線発車案内用運行情報（具体的には、新幹線発車案内用運行情報画像Ａ２を含む映像を表示するための映像データ）が、配信サーバ５００にも配信されるよう構成されている。
なお、新幹線発車標システム装置３００から送信される映像データは、静止画像データであってもよいし、動画像データであってもよい。すなわち、新幹線発車案内用運行情報画像Ａ２を含む映像は、静止画であってもよいし、動画であってもよい。
【００４６】
また、配信サーバ５００は、駅情報提供ＤＰシステム装置４００と駅情報提供ディスプレイ４００ａとを接続するケーブルＫ３に接続されており、駅情報提供ＤＰシステム装置４００から駅情報提供ディスプレイ４００ａへと配信される駅情報提供用運行情報（具体的には、駅情報提供用運行情報画像Ａ３を含む映像を表示するための映像データ）が、配信サーバ５００にも配信されるよう構成されている。
なお、駅情報提供ＤＰシステム装置４００から送信される映像データは、静止画像データであってもよいし、動画像データであってもよい。すなわち、駅情報提供用運行情報画像Ａ３を含む映像は、静止画であってもよいし、動画であってもよい。
【００４７】
そして、配信サーバ５００は、設定用タブレット端末６００からの要求に従って、受信した複数種類の運行情報のうちの何れか一種類を設定用タブレット端末６００に配信したり、設定用タブレット端末６００からの指示に従って、受信した複数種類の運行情報のうちの何れか一種類を運行情報表示装置１に配信したりする。
これにより、設定用タブレット端末６００や運行情報表示装置１に、配信サーバ５００から配信された運行情報が表示される。
【００４８】
設定用タブレット端末６００は、ディスプレイパネルとタッチパネルとが一体化した表示装置を備え、運行情報表示装置１に表示する運行情報の種類を設定するための運行情報種類設定用のアプリケーションプログラム（以下「アプリ」という。）がインストールされたタブレット端末であり、例えば、駅員等が所持している。
図４、図５、および図６は、第１実施形態にかかる運行情報提供システム１００が備える設定用タブレット端末６００と、それに表示される設定画面の一例を示す図である。
設定用タブレット端末６００には、当該設定用タブレット端末６００にインストールされている運行情報種類設定用のアプリが起動すると、例えば図４（あるいは、図５や図６であってもよい。）に示すような設定画面が表示される。
【００４９】
図４、図５、および図６に示すように、設定画面内には、運行情報画像とともに、複数のボタン画像が表示されている。
設定画面内の「電源」ボタンＢ１をタッチ操作すると、運行情報表示装置１のディスプレイ２０の電源をＯＮ／ＯＦＦすることができる。
また、設定画面内の「表示消去」ボタンＢ２をタッチ操作すると、運行情報表示装置１のディスプレイ２０の画面を、何も表示されていない黒い画面に切り替えることができる（ブラックアウト）。
【００５０】
また、設定画面内の「異常時案内ディスプレイ」ボタンＢ３をタッチ操作すると、当該設定画面内に表示する運行情報を、異常時案内用運行情報に切り替えることができる。
また、設定画面内の「新幹線発車標」ボタンＢ４をタッチ操作すると、当該設定画面内に表示する運行情報を、新幹線発車案内用運行情報に切り替えることができる。
また、設定画面内の「駅情報提供ディスプレイ」ボタンＢ５をタッチ操作すると、当該設定画面内に表示する運行情報を、駅情報提供用運行情報に切り替えることができる。
【００５１】
また、設定画面内の「ディスプレイ切替」ボタンＢ６をタッチ操作すると、運行情報表示装置１のディスプレイ２０の画面を、当該設定画面内に表示されている運行情報と同一の運行情報が表示された画面に切り替えることができる。
また、設定画面内の「歯車」ボタンＢ７をタッチ操作すると、初期表示設定画面が表示され、当該初期表示設定画面において、運行情報種類設定用のアプリの次回起動時に表示される設定画面内に表示する運行情報の種類（すなわち、運行情報種類設定用のアプリの次回起動時に最初に表示する運行情報の種類）を設定することができる。
【００５２】
図４は、「異常時案内ディスプレイ」ボタンＢ３がタッチ操作された際に表示される設定画面であり、当該設定画面内には異常時案内用運行情報画像Ａ１が表示されている。
「異常時案内ディスプレイ」ボタンＢ３がタッチ操作されると、設定用タブレット端末６００は、配信サーバ５００に対して異常時案内用運行情報を配信するよう要求し、配信サーバ５００は、当該要求に従って異常時案内用運行情報を設定用タブレット端末６００に配信する。
そして、設定用タブレット端末６００が異常時案内用運行情報以外の運行情報（本実施形態の場合、新幹線発車案内用運行情報、駅情報提供用運行情報）を配信するよう要求するまで、配信サーバ５００は、異常時案内ＤＰシステム装置２００からの異常時案内用運行情報を受信する度に、当該受信した異常時案内用運行情報を設定用タブレット端末６００に配信する。
すなわち、「異常時案内ディスプレイ」ボタンＢ３がタッチ操作されてから、「新幹線発車標」ボタンＢ４や「駅情報提供ディスプレイ」ボタンＢ５がタッチ操作されるまでの間、設定用タブレット端末６００の設定画面内には、異常時案内ディスプレイ２００ａに表示されている運行情報と同一内容の運行情報（具体的には、最新の異常時案内用運行情報画像Ａ１）が表示される。
【００５３】
設定画面内に異常時案内用運行情報画像Ａ１が表示されている状態で「ディスプレイ切替」ボタンＢ６がタッチ操作されると、設定用タブレット端末６００は、配信サーバ５００に対して異常時案内用運行情報を運行情報表示装置１へと配信するよう指示し、配信サーバ５００は、当該指示に従って異常時案内用運行情報を運行情報表示装置１に配信する。
そして、設定用タブレット端末６００が、異常時案内用運行情報以外の運行情報を運行情報表示装置１へと配信するよう指示したり、運行情報表示装置１への運行情報の配信を停止するよう指示したりするまで、配信サーバ５００は、異常時案内ＤＰシステム装置２００から配信された異常時案内用運行情報を受信する度に、当該受信した異常時案内用運行情報を運行情報表示装置１に配信する。ここで、設定用タブレット端末６００は、例えば、「電源」ボタンＢ１や「表示消去」ボタンＢ２がタッチ操作された場合に、運行情報表示装置１への運行情報の配信を停止するよう配信サーバ５００に指示する。
すなわち、設定画面内に異常時案内用運行情報画像Ａ１が表示されている状態で「ディスプレイ切替」ボタンＢ６がタッチ操作されてから、設定画面内に異常時案内用運行情報画像Ａ１以外の運行情報画像が表示されている状態で「ディスプレイ切替」ボタンＢ６がタッチ操作されたり、「電源」ボタンＢ１や「表示消去」ボタンＢ２がタッチ操作されたりするまでの間、運行情報表示装置１のディスプレイ２０には、異常時案内ディスプレイ２００ａに表示されている運行情報と同一内容の運行情報（具体的には、最新の異常時案内用運行情報画像Ａ１を含む映像）が表示される。
【００５４】
また、図５は、「新幹線発車標」ボタンＢ４がタッチ操作された際に表示される設定画面であり、当該設定画面内には新幹線発車案内用運行情報画像Ａ２が表示されている。
「新幹線発車標」ボタンＢ４がタッチ操作されると、設定用タブレット端末６００は、配信サーバ５００に対して新幹線発車案内用運行情報を配信するよう要求し、配信サーバ５００は、当該要求に従って新幹線発車案内用運行情報を設定用タブレット端末６００に配信する。
そして、設定用タブレット端末６００が新幹線発車案内運行情報以外の運行情報（本実施形態の場合、異常時案内用運行情報、駅情報提供用運行情報）を配信するよう要求するまで、配信サーバ５００は、新幹線発車標システム装置３００からの新幹線発車案内用運行情報を受信する度に、当該受信した新幹線発車案内用運行情報を設定用タブレット端末６００に配信する。
すなわち、「新幹線発車標」ボタンＢ４がタッチ操作されてから、「異常時案内ディスプレイ」ボタンＢ３や「駅情報提供ディスプレイ」ボタンＢ５がタッチ操作されるまでの間、設定用タブレット端末６００の設定画面内には、新幹線発車標３００ａに表示されている運行情報と同一内容の運行情報（具体的には、最新の新幹線発車案内用運行情報画像Ａ２）が表示される。
【００５５】
設定画面内に新幹線発車案内用運行情報画像Ａ２が表示されている状態で「ディスプレイ切替」ボタンＢ６がタッチ操作されると、設定用タブレット端末６００は、配信サーバ５００に対して新幹線発車案内用運行情報を運行情報表示装置１へと配信するよう指示し、配信サーバ５００は、当該指示に従って新幹線発車案内用運行情報を運行情報表示装置１に配信する。
そして、設定用タブレット端末６００が、新幹線発車案内用運行情報以外の運行情報を運行情報表示装置１へと配信するよう指示したり、運行情報表示装置１への運行情報の配信を停止するよう指示したりするまで、配信サーバ５００は、新幹線発車標システム装置３００から配信された新幹線発車案内用運行情報を受信する度に、当該受信した新幹線発車案内用運行情報を運行情報表示装置１に配信する。
すなわち、設定画面内に新幹線発車案内用運行情報画像Ａ２が表示されている状態で「ディスプレイ切替」ボタンＢ６がタッチ操作されてから、設定画面内に新幹線発車案内用運行情報画像Ａ２以外の運行情報画像が表示されている状態で「ディスプレイ切替」ボタンＢ６がタッチ操作されたり、「電源」ボタンＢ１や「表示消去」ボタンＢ２がタッチ操作されたりするまでの間、運行情報表示装置１のディスプレイ２０には、新幹線発車標３００ａに表示されている運行情報と同一内容の運行情報（具体的には、最新の新幹線発車案内用運行情報画像Ａ２を含む映像）が表示される。
【００５６】
また、図６は、「駅情報提供ディスプレイ」ボタンＢ５がタッチ操作された際に表示される設定画面であり、当該設定画面内には駅情報提供用運行情報画像Ａ３が表示されている。
「駅情報提供ディスプレイ」ボタンＢ５がタッチ操作されると、設定用タブレット端末６００は、配信サーバ５００に対して駅情報提供用運行情報を配信するよう要求し、配信サーバ５００は、当該要求に従って駅情報提供用運行情報を設定用タブレット端末６００に配信する。
そして、設定用タブレット端末６００が駅情報提供用運行情報以外の運行情報（本実施形態の場合、異常時案内用運行情報、新幹線発車案内用運行情報）を配信するよう要求するまで、配信サーバ５００は、駅情報提供ＤＰシステム装置４００からの駅情報提供用運行情報を受信する度に、当該受信した駅情報提供用運行情報を設定用タブレット端末６００に配信する。
すなわち、「駅情報提供ディスプレイ」ボタンＢ５がタッチ操作されてから、「異常時案内ディスプレイ」ボタンＢ３や「新幹線発車標」ボタンＢ４がタッチ操作されるまでの間、設定用タブレット端末６００の設定画面内には、駅情報提供ディスプレイ４００ａに表示されている運行情報と同一内容の運行情報（具体的には、最新の駅情報提供用運行情報画像Ａ３）が表示される。
【００５７】
設定画面内に駅情報提供用運行情報画像Ａ３が表示されている状態で「ディスプレイ切替」ボタンＢ６がタッチ操作されると、設定用タブレット端末６００は、配信サーバ５００に対して駅情報提供用運行情報を運行情報表示装置１へと配信するよう指示し、配信サーバ５００は、当該指示に従って駅情報提供用運行情報を運行情報表示装置１に配信する。
そして、設定用タブレット端末６００が、駅情報提供用運行情報以外の運行情報を運行情報表示装置１へと配信するよう指示したり、運行情報表示装置１への運行情報の配信を停止するよう指示したりするまで、配信サーバ５００は、駅情報提供ＤＰシステム装置４００から配信された駅情報提供用運行情報を受信する度に、当該受信した駅情報提供用運行情報を運行情報表示装置１に配信する。
すなわち、設定画面内に駅情報提供用運行情報画像Ａ３が表示されている状態で「ディスプレイ切替」ボタンＢ６がタッチ操作されてから、設定画面内に駅情報提供用運行情報画像Ａ３以外の運行情報画像が表示されている状態で「ディスプレイ切替」ボタンＢ６がタッチ操作されたり、「電源」ボタンＢ１や「表示消去」ボタンＢ２がタッチ操作されたりするまでの間、運行情報表示装置１のディスプレイ２０には、駅情報提供ディスプレイ４００ａに表示されている運行情報と同一内容の運行情報（具体的には、最新の駅情報提供用運行情報画像Ａ３を含む映像）が表示される。
【００５８】
すなわち、配信サーバ５００が、運行情報表示装置１に運行情報を配信する情報配信手段をなす。
また、設定用タブレット端末６００が、オペレータ（駅員等）の入力（本実施形態の場合、設定画面内に表示されているボタンのタッチ操作）に基づいて、複数種類の運行情報の中から運行情報表示装置１に表示させる運行情報を選択する情報選択手段をなす。
そして、情報配信手段（配信サーバ５００）は、情報選択手段（設定用タブレット端末６００）によって選択された運行情報を、運行情報表示装置１に配信するよう構成されている。
また、情報配信手段（配信サーバ５００）は、運行情報として、少なくとも、列車の遅延および運休を含む異常が発生したことを案内する異常時案内用運行情報を配信可能となるよう構成されている。
【００５９】
ここで、本実施形態では、当駅に複数の運行情報表示装置１が設置されている場合には、「ディスプレイ切替」ボタンＢ６をタッチ操作すると、当該複数の運行情報表示装置１のディスプレイ２０の画面が一括で切り替えるよう構成されている。
なお、当駅に複数の運行情報表示装置１が設置されている場合には、当該複数の運行情報表示装置１のディスプレイ２０の画面を一括で切り替えるだけでなく、個別に切り替えることができるよう構成することも可能である。具体的には、例えば、「ディスプレイ切替」ボタンＢ６に代えて、「ディスプレイ一括切替」ボタンおよび「ディスプレイ個別切替」ボタンを表示し、「ディスプレイ一括切替」ボタンがタッチ操作されると、当駅に設置されている全ての運行情報表示装置１のディスプレイ２０の画面を一括で切り替え、「ディスプレイ個別切替」ボタンがタッチ操作されると、当駅に設置されている複数の運行情報表示装置１のうちの何れか１つ（あるいは、複数であってもよい。）を選択するためのディスプレイ選択画面が表示され、当該ディスプレイ選択画面において選択された運行情報表示装置１のディスプレイ２０の画面のみを切り替えるよう構成することも可能である。
【００６０】
また、設定用タブレット端末６００に表示されるボタン画像は、図４等に図示したボタン画像に限ることはなく、適宜任意に変更可能である。例えば、ディスプレイ２０を移動させる移動機構が、ディスプレイ２０を電動で移動させる機構である場合には、設定用タブレット端末６００に「ディスプレイ使用」ボタンおよび「ディスプレイ収納」ボタンを表示して、「ディスプレイ使用」ボタンがタッチ操作されると、運行情報表示装置１のディスプレイ２０が使用状態になり、「ディスプレイ収納」ボタンがタッチ操作されると、ディスプレイ２０が収納状態になるよう構成することも可能である。
【００６１】
次に、運行情報表示装置１の使用法の一例を説明する。
運行情報表示装置１は、列車の遅延や運休などの異常が発生していない通常時には、当駅の改札内の所定場所に設置されている。その際、運行情報表示装置１を、当該運行情報表示装置１の差込プラグを当駅の改札内に設置されているコンセントに差し込むことのできる場所に配置すると、外部電源を使用することができる。
【００６２】
また、通常時、運行情報表示装置１のディスプレイ２０は、表示部２１が視認不能な収納状態であってもよいし、表示部２１が視認可能な使用状態であってもよい。ディスプレイ２０が収納状態である場合、省エネ等の観点から、ディスプレイ２０の電源はＯＦＦされていることが好ましい。また、ディスプレイ２０が収納状態になると、自動的にディスプレイ２０の電源がＯＦＦされるよう構成することも可能である。無論、ディスプレイ２０が収納状態である場合、ディスプレイ２０の電源はＯＮされていてもよい。
一方、ディスプレイ２０が使用状態である場合、ディスプレイ２０の有効利用等の観点から、ディスプレイ２０には所定の映像（広告用映像や、駅構内情報画像を含む映像、運行情報画像を含む映像など）が表示されていることが好ましい。当該所定の映像を表示するための映像データは、配信サーバ５００から配信されるよう構成することも可能であるし、運行情報表示装置１に予め記憶しておくよう構成することも可能である。無論、ディスプレイ２０が使用状態である場合、ディスプレイ２０には何も表示されていない黒い画面が表示されていてもよいし、ディスプレイ２０の電源はＯＦＦされていてもよい。
【００６３】
そして、列車の遅延や運休などの異常が発生した異常時には、駅員等が、把持部１３を把持する等して運行情報表示装置１を押し、当駅の改札外の所望する場所へと移動させる。その際、運行情報表示装置１は、内部電源４０を備えているので、運行情報表示装置１の差込プラグをコンセントに差し込むことのできない場所にも配置することができる。
【００６４】
また、異常時であるか否かにかかわらず、駅員等が、設定用タブレット端末６００を操作することで、運行情報表示装置１のディスプレイ２０の画面が切り替わる。例えば、設定画面内の「表示消去」ボタンＢ２がタッチ操作されると、何も表示されていない黒い画面に切り替わり、設定画面内の「ディスプレイ切替」ボタンＢ６がタッチ操作されると、当該設定画面内に表示されている運行情報が表示された画面に切り替わる。
【００６５】
次に、運行情報提供システム１００による、運行情報表示装置１の表示切替処理について説明する。
図７は、第１実施形態にかかる運行情報提供システム１００による、運行情報表示装置１の表示切替処理の一例を示すフローチャートである。
図７に示すように、システム装置（本実施形態の場合、異常時案内ＤＰシステム装置２００、新幹線発車標システム装置３００、駅情報提供ＤＰシステム装置４００）は、運行情報を配信する（ステップＳ１）。
【００６６】
具体的には、異常時案内ＤＰシステム装置２００は、異常時案内ディスプレイ２００ａや配信サーバ５００に、最新の異常時案内用運行情報を配信する。
また、新幹線発車標システム装置３００は、新幹線発車標３００ａや配信サーバ５００に、最新の新幹線発車案内用運行情報を配信する。
また、駅情報提供ＤＰシステム装置４００は、駅情報提供ディスプレイ４００ａや配信サーバ５００に、最新の駅情報提供用運行情報を配信する。
【００６７】
次いで、配信サーバ５００は、受信した運行情報を配信する（ステップＳ２）。
具体的には、配信サーバ５００は、設定用タブレット端末６００から異常時案内用運行情報を配信するよう要求されている場合には、異常時案内ＤＰシステム装置２００によって配信された異常時案内用運行情報を受信すると、当該受信した異常時案内用運行情報を設定用タブレット端末６００に配信する。
また、配信サーバ５００は、設定用タブレット端末６００から異常時案内用運行情報を運行情報表示装置１に配信するよう指示されている場合には、異常時案内ＤＰシステム装置２００によって配信された異常時案内用運行情報を受信すると、当該受信した異常時案内用運行情報を運行情報表示装置１に配信する。
【００６８】
また、配信サーバ５００は、設定用タブレット端末６００から新幹線発車案内用運行情報を配信するよう要求されている場合には、新幹線発車標システム装置３００によって配信された新幹線発車案内用運行情報を受信すると、当該受信した新幹線発車案内用運行情報を設定用タブレット端末６００に配信する。
また、配信サーバ５００は、設定用タブレット端末６００から新幹線発車案内用運行情報を運行情報表示装置１に配信するよう指示されている場合には、新幹線発車標システム装置３００によって配信された新幹線発車案内用運行情報を受信すると、当該受信した新幹線発車案内用運行情報を運行情報表示装置１に配信する。
【００６９】
また、配信サーバ５００は、設定用タブレット端末６００から駅情報提供用運行情報を配信するよう要求されている場合には、駅情報提供ＤＰシステム装置４００によって配信された駅情報提供用運行情報を受信すると、当該受信した駅情報提供用運行情報を設定用タブレット端末６００に配信する。
また、配信サーバ５００は、設定用タブレット端末６００から駅情報提供用運行情報を運行情報表示装置１に配信するよう指示されている場合には、駅情報提供ＤＰシステム装置４００によって配信された駅情報提供用運行情報を受信すると、当該受信した駅情報提供用運行情報を運行情報表示装置１に配信する。
【００７０】
次いで、駅員等は、設定用タブレット端末６００を用いて、運行情報表示装置１のディスプレイ２０に表示する運行情報の種類を選択する（ステップＳ３）。
具体的には、駅員等は、運行情報表示装置１のディスプレイ２０に異常時案内用運行情報を表示させたい場合には、設定用タブレット端末６００に表示されている設定画面内の「異常時案内ディスプレイ」ボタンＢ３をタッチ操作して当該設定画面内に異常時案内用運行情報を表示させた後、当該設定画面内の「ディスプレイ切替」ボタンＢ６をタッチ操作する。
【００７１】
また、駅員等は、運行情報表示装置１のディスプレイ２０に新幹線発車案内用運行情報を表示させたい場合には、設定用タブレット端末６００に表示されている設定画面内の「新幹線発車標」ボタンＢ４をタッチ操作して当該設定画面内に新幹線発車案内用運行情報を表示させた後、当該設定画面内の「ディスプレイ切替」ボタンＢ６をタッチ操作する。
【００７２】
また、駅員等は、運行情報表示装置１のディスプレイ２０に駅情報提供用運行情報を表示させたい場合には、設定用タブレット端末６００に表示されている設定画面内の「駅情報提供ディスプレイ」ボタンＢ５をタッチ操作して当該設定画面内に駅情報提供用運行情報を表示させた後、当該設定画面内の「ディスプレイ切替」ボタンＢ６をタッチ操作する。
【００７３】
次いで、設定用タブレット端末６００は、配信サーバ５００に駅員等の選択結果（指示信号）を送信する（ステップＳ４）。
具体的には、設定用タブレット端末６００は、設定画面内に異常時案内用運行情報を表示している状態で「ディスプレイ切替」ボタンＢ６がタッチ操作された場合には、異常時案内用運行情報を運行情報表示装置１へと配信するよう指示する指示信号を配信サーバ５００に送信する。
【００７４】
また、設定用タブレット端末６００は、設定画面内に新幹線発車案内用運行情報を表示している状態で「ディスプレイ切替」ボタンＢ６がタッチ操作された場合には、新幹線発車案内用運行情報を運行情報表示装置１へと配信するよう指示する指示信号を配信サーバ５００に送信する。
【００７５】
また、設定用タブレット端末６００は、設定画面内に駅情報提供用運行情報を表示している状態で「ディスプレイ切替」ボタンＢ６がタッチ操作された場合には、駅情報提供用運行情報を運行情報表示装置１へと配信するよう指示する指示信号を配信サーバ５００に送信する。
【００７６】
次いで、配信サーバ５００は、受信した選択結果（指示信号）に基づいて、運行情報表示装置１に運行情報を配信し（ステップＳ５）、運行情報表示装置１は、受信した運行情報をディスプレイ２０に表示する（ステップＳ６）。
具体的には、配信サーバ５００は、異常時案内用運行情報を運行情報表示装置１へと配信するよう指示する指示信号を受信した場合には、異常時案内用運行情報を運行情報表示装置１に送信する。これにより、運行情報表示装置１のディスプレイ２０の画面が、設定用タブレット端末６００の設定画面内に表示されている運行情報（すなわち、異常時案内用運行情報）が表示された画面に切り替わる。
【００７７】
また、配信サーバ５００は、新幹線発車案内用運行情報を運行情報表示装置１へと配信するよう指示する指示信号を受信した場合には、新幹線発車案内用運行情報を運行情報表示装置１に送信する。これにより、運行情報表示装置１のディスプレイ２０の画面が、設定用タブレット端末６００の設定画面内に表示されている運行情報（すなわち、新幹線発車案内用運行情報）が表示された画面に切り替わる。
【００７８】
また、配信サーバ５００は、駅情報提供用運行情報を運行情報表示装置１へと配信するよう指示する指示信号を受信した場合には、駅情報提供用運行情報を運行情報表示装置１に送信する。これにより、運行情報表示装置１のディスプレイ２０の画面が、設定用タブレット端末６００の設定画面内に表示されている運行情報（すなわち、駅情報提供用運行情報）が表示された画面に切り替わる。
【００７９】
そして、ステップＳ６の処理の実行後、ステップＳ１の処理に戻る。
なお、ステップＳ４以降の処理は、ステップＳ３の処理が行われた場合、具体的には「ディスプレイ切替」ボタンＢ６がタッチ操作された場合に実行する処理であり、ステップＳ３の処理が行われない場合には、ステップＳ１およびステップＳ２の処理を繰り返し行う。
【００８０】
《第１実施形態の変形例》
運行情報表示装置１のディスプレイ２０に表示する運行情報の種類が、駅員等の選択した順番および表示サイクルで、自動的に切り替わるよう構成することも可能である。
図８は、第１実施形態の変形例にかかる運行情報提供システム１００による、運行情報表示装置１の表示切替処理の一例を示すフローチャートである。
この表示切替処理では、図８に示すように、ステップＳ３に代えて、ステップＳ１０の処理を行う。
【００８１】
ステップＳ１０では、駅員等は、設定用タブレット端末６００を用いて、運行情報表示装置１のディスプレイ２０に表示する運行情報の種類と、表示順と、表示切替タイミングと、を選択する（ステップＳ１０）。
【００８２】
このように構成することによって、駅員等が、設定用タブレット端末６００を用いて、例えば、運行情報表示装置１のディスプレイ２０に、新幹線発車案内用運行情報→異常時案内用運行情報→新幹線発車案内用運行情報→・・・の順に１分間隔で運行情報を切り替えて表示したいと選択した場合には、設定用タブレット端末６００は、その旨を指示する指示信号を配信サーバ５００に送信し、配信サーバ５００は、運行情報表示装置１へと、新幹線発車案内用運行情報→異常時案内用運行情報→新幹線発車案内用運行情報→・・・の順に１分間隔で運行情報を配信する。これにより、運行情報表示装置１のディスプレイ２０に、新幹線発車案内用運行情報→異常時案内用運行情報→新幹線発車案内用運行情報→・・・の順に１分間隔で運行情報が表示される。
なお、ステップＳ１０で選択可能な運行情報の種類の数は、複数であれば任意である。
【００８３】
以上説明した第１実施形態の運行情報表示装置１によれば、キャスター５０を有し、移動可能に構成された筐体１０と、筐体１０に設けられ、列車の運行情報を表示可能なディスプレイ２０と、を備え、ディスプレイ２０は、少なくとも一部が筐体１０から突出して表示部２１が視認可能な第１状態（使用状態）と、筐体１０の内部に収納されて表示部２１が視認不能な第２状態（収納状態）と、に変換可能である。
【００８４】
したがって、運行情報表示装置１は移動可能であるため、駅の改札内だけでなく改札外にも設置することができ、駅員や列車利用者などが所望する場所で列車の運行情報を表示することができる。
また、ディスプレイ２０を筐体１０の内部に収納できるため、運行情報表示装置１の移動を楽に行うことができる。
なお、運行情報表所装置１は、少なくとも筐体１０と、ディスプレイ２０と、キャスター５０と、を備えていればよく、例えば、掲示板本体３０を備えていなくてもよい。
【００８５】
また、第１実施形態の運行情報表示装置１によれば、ディスプレイ２０は、第１状態（使用状態）において、少なくとも一部が筐体１０の上面に設けられた上面開口から突出して表示部２１が視認可能であるように構成することも可能である。
【００８６】
このように構成することで、使用状態のディスプレイ２０が、収納状態のディスプレイ２０よりも高い位置に配置されるため、より遠くから表示部２１を視認することができる。
また、ディスプレイ２０を収納状態にすると、運行情報表示装置１を低くすることができるため、運行情報表示装置１の移動をより楽に行うことができる。
また、ディスプレイ２０を収納状態にすると、運行情報表示装置１を低くすることができるため、運行情報表示装置１の移動可能範囲を広げることができる。具体的には、例えば、ディスプレイ２０を収納状態にすると運行情報表示装置１の高さが日本人成人の平均身長程度になるように設定した場合には、ディスプレイ２０が使用状態である際には通過できないような領域（例えば、天井の低い領域）でも、平均身長の日本人成人が通過できる領域であれば、ディスプレイ２０を収納状態にすることで通過可能になるため、運行情報表示装置１の移動可能範囲を広げることができる。
なお、ディスプレイ２０が第１状態（使用状態）と第２状態（収納状態）とに変換可能であれば、ディスプレイ２０の移動方向は、上下方向に限ることはなく、適宜任意に変更可能であり、例えば、左右方向であってもよい。
【００８７】
また、第１実施形態の運行情報表示装置１によれば、内部電源４０と外部電源との双方を使用可能であり、内部電源４０は、外部電源からの電力を用いて充電可能であるよう構成することも可能である。
【００８８】
このように構成することで、運行情報表示装置１を外部電源が使用できない場所にも設置することができるため、運行情報表示装置１の設置可能範囲を広げることができる。
また、列車の遅延や運休などの異常が発生していない通常時には、運行情報表示装置１を外部電源が使用できる場所に設置して内部電源４０を充電することができるため、その後、列車の遅延や運休などの異常が発生して運行情報表示装置１を外部電源が使用できない場所に移動させた場合であっても、運行情報表示装置１によって運行情報を長時間表示することができる。
なお、運行情報表示装置１は、内部電源４０のみを使用可能であってもよいし、外部電源のみを使用可能で内部電源４０を備えていなくてもよい。
【００８９】
以上説明した第１実施形態の運行情報提供システム１００によれば、運行情報表示装置１と、運行情報表示装置１に運行情報を配信する情報配信手段（配信サーバ５００）と、オペレータ（駅員等）の入力に基づいて、複数種類の運行情報の中から運行情報表示装置１に表示させる運行情報を選択する情報選択手段（設定用タブレット端末６００）と、を備え、情報配信手段（配信サーバ５００）は、情報選択手段（設定用タブレット端末６００）によって選択された運行情報を、運行情報表示装置１に配信する。
【００９０】
したがって、オペレータ（駅員等）の入力に基づいて運行情報表示装置１に表示させる運行情報の種類を選択可能であるため、運行情報表示装置１によって、オペレータの所望する種類の運行情報を提供することができる。
なお、情報選択手段は、設定用タブレット端末６００に限ることはなく、適宜任意に変更可能であり、例えば、配信サーバ５００に有線接続された入力装置（キーボードやマウスなど）であってもよい。
【００９１】
また、第１実施形態の運行情報提供システム１００によれば、情報配信手段（配信サーバ５００）は、運行情報として、列車の遅延および運休を含む異常が発生したことを案内する異常時案内用運行情報を配信可能であるよう構成することも可能である。
【００９２】
このように構成することで、異常時案内用運行情報を運行情報表示装置１に表示することができるため、運行情報表示装置１によって、列車の遅延および運休を含む異常が発生したことを案内することができる。
【００９３】
なお、本実施形態では、改札内に配置された既存の表示装置（具体的には、異常時案内ディスプレイ２００ａ、新幹線発車標３００ａ、駅情報提供ディスプレイ４００ａ）に表示するための運行情報を、配信サーバ５００から運行情報表示装置１へと配信するよう構成したが、配信サーバ５００から運行情報表示装置１へと配信される運行情報は、既存の表示装置に表示するための運行情報以外の運行情報、例えば運行情報表示装置１専用の運行情報であってもよい。
【００９４】
＜第２実施形態＞
次に、本発明の第２実施形態の運行情報表示装置１および運行情報提供システム１００について説明する。
なお、第２実施形態においては、運行情報表示装置１が、ディスプレイ２０（上部ディスプレイ）に加えて、下部ディスプレイ７０を備えている点が、第１実施形態と異なる。したがって、以下、第１実施形態と同様の構成を有する部分については同じ符号を付して説明を省略し、主に異なる部分について説明する。
【００９５】
〔運行情報表示装置〕
第２実施形態の運行情報表示装置１について説明する。
図９は、第２実施形態にかかる運行情報表示装置１を示す図であって、（ａ）は正面図であり、（ｂ）は側面図である。
なお、第２実施形態の運行情報提供システム１００については、運行情報表示装置が、第１実施形態の運行情報表示装置１から第２実施形態の運行情報表示装置１に代わる点以外は、第１実施形態の運行情報提供システム１００と同一であるため、説明は省略する。
【００９６】
本実施形態の運行情報表示装置１は、列車の運行情報を表示可能なディスプレイを備える可搬型のデジタルサイネージ装置である。
具体的には、本実施形態の運行情報表示装置１は、主に、筐体１０と、筐体１０の内部に設けられた移動機構（図示省略）によって上下動可能に支持されるディスプレイ２０（上部ディスプレイ）と、筐体１０の内部に配設された下部ディスプレイ７０と、筐体１０の内部に配設された内部電源４０と、筐体１０を移動可能に支持するキャスター５０と、を備えて構成されている。すなわち、本実施形態の運行情報表示装置１は、掲示板本体３０に代えて、下部ディスプレイ７０を備えている。
【００９７】
下部ディスプレイ７０は、液晶ディスプレイ等の薄型のディスプレイであり、下部ディスプレイ７０の表示部（表示領域）７１は、筐体１０の前面開口１１ａから常時露出している。
下部ディスプレイ７０は、例えば、列車の遅延や運休などの異常が発生していない通常時には、広告用映像を表示し、列車の遅延や運休などの異常が発生した異常時には、ディスプレイ２０（上部ディスプレイ）とは異なる運行情報を表示するためのものである。これにより、複数の運行情報を同時に提供することが可能となる。
なお、下部ディスプレイ７０には、ディスプレイ２０と同一の運行情報を表示してもよい。運行情報表示装置１に近い場所にいる列車利用者等は、下部ディスプレイ７０に表示されている情報が視認し易く、運行情報表示装置１から離れた場所にいる列車利用者等は、ディスプレイ２０（上部ディスプレイ）に表示されている情報が視認し易いので、下部ディスプレイ７０に、ディスプレイ２０と同一の運行情報を表示することで、より多くの列車利用者等に運行情報を提供することが可能となる。
【００９８】
図１０は、第２実施形態にかかる運行情報提供システム１００による、運行情報表示装置１の表示切替処理の一例を示すフローチャートである。
第２実施形態の表示切替処理では、図１０に示すように、ステップＳ３に代えて、ステップＳ２０の処理を行う。
ステップＳ２０では、駅員等は、設定用タブレット端末６００を用いて、運行情報表示装置１のディスプレイ２０（上部ディスプレイ）に表示する運行情報の種類を選択するとともに、下部ディスプレイ７０に表示する運行情報の種類を選択する（ステップＳ２０）。
【００９９】
このように構成することによって、駅員等が、設定用タブレット端末６００を用いて、例えば、運行情報表示装置１のディスプレイ２０（上部ディスプレイ）に異常時案内用運行情報を表示させ、下部ディスプレイ７０に駅情報提供用運行情報を表示させたいと選択した場合には、設定用タブレット端末６００は、その旨を指示する指示信号を配信サーバ５００に送信し、配信サーバ５００は、運行情報表示装置１へと、ディスプレイ２０（上部ディスプレイ）用の運行情報として異常時案内用運行情報を配信するとともに、下部ディスプレイ７０用の運行情報として駅情報提供用運行情報を配信する。これにより、運行情報表示装置１のディスプレイ２０（上部ディスプレイ）に、異常時案内ディスプレイ２００ａに表示されている運行情報と同一内容の運行情報が表示されるとともに、運行情報表示装置１の下部ディスプレイ７０に、駅情報提供ディスプレイ４００ａに表示されている運行情報と同一内容の運行情報が表示される。
【０１００】
なお、ステップＳ２０で、設定用タブレット端末６００を用いて、ディスプレイ２０（上部ディスプレイ）に表示する運行情報の種類と、表示順と、表示切替タイミングと、を選択するとともに、下部ディスプレイ７０に表示する運行情報の種類と、表示順と、表示切替タイミングと、を選択するよう構成することも可能である。
また、ステップＳ２０で、設定用タブレット端末６００を用いて、ディスプレイ２０（上部ディスプレイ）の画面と、下部ディスプレイ７０の画面と、の何れか一方のみを切り替えるよう選択することも可能である。
また、通常時において下部ディスプレイ７０に表示する映像は、広告用映像に限ることはなく、適宜任意に変更可能であり、例えば、駅構内情報画像（駅構内図等）を含む映像を表示することも可能である。
【０１０１】
また、筐体１０の所定位置に映像切替ボタンを設け、駅員や列車利用者などが当該映像切替ボタンを操作すると、下部ディスプレイ７０に表示する映像が切り替わるよう構成することも可能である。
また、下部ディスプレイ７０は、ディスプレイパネルとタッチパネルとが一体化したものであってもよい。この場合、駅員や列車利用者などがタッチパネルを操作すると、下部ディスプレイ７０に表示する映像が切り替わるよう構成することも可能である。
【０１０２】
以上説明した第２実施形態の運行情報表示装置１によれば、ディスプレイ２０（上部ディスプレイ）に加えて、表示部７１が筐体１０の前面に設けられた前面開口１１ａから常時露出している第２ディスプレイ（下部ディスプレイ７０）を備えている。
【０１０３】
したがって、２つのディスプレイを備えているため、同時に複数の運行情報を表示することが可能となる。
【０１０４】
また、今回開示された実施の形態はすべての点で例示であって制限的なものではないと考えられるべきである。また、前述の実施形態及び変形例の各構成を組み合わせて適用しても良い。本発明の範囲は上記した説明ではなくて特許請求の範囲によって示され、特許請求の範囲と均等の意味および範囲内でのすべての変更が含まれることが意図される。
【０１０５】
設定用タブレット端末６００に表示される設定画面は、図４〜図６に示した画面に限ることはなく、適宜任意に変更可能であり、例えば、図１１に示すような画面であってもよい。
【０１０６】
また、配信サーバ５００から設定用タブレット端末６００や運行情報表示装置１へと配信可能な運行情報は、異常時案内用運行情報、新幹線発車案内用運行情報、および駅情報提供用運行情報に限ることはなく、適宜任意に変更可能である。例えば、配信サーバ５００は、これらの運行情報に加えて、あるいは、これらの運行情報のうちの何れかに代えて、在来線発車案内用運行情報を配信可能であってもよい。
すなわち、運行情報提供システム１００が備えるシステム装置は、異常時案内ＤＰシステム装置２００、新幹線発車標システム装置３００、および駅情報提供ＤＰシステム装置４００に限ることはなく、適宜任意に変更可能である。例えば、運行情報提供システム１００は、これらのシステム装置に加えて、あるいは、これらのシステム装置のうちの何れかに代えて、液晶ディスプレイ等のディスプレイからなる在来線発車標に在来線発車案内用運行情報（例えば、当駅から発車する列車の列車種別、発車時刻、行先、発車番線、停車駅等）を配信する在来線発車標システム装置を備えていてもよい。
【０１０７】
また、配信サーバ５００は、システム装置から映像データを受信して、当該映像データを運行情報表示装置１に送信するよう構成したが、これに限ることはなく、システム装置から映像データ以外のデータを受信して当該データに基づき映像データを生成し、生成した映像データを運行情報表示装置１に送信するよう構成することも可能である。
映像データ以外のデータとしては、例えば、ＬＥＤ式の発車標に送信されるＬＥＤ点灯パターンデータ等が挙げられる。これにより、ＬＥＤ式の発車標に表示される運行情報と同一の運行情報を、運行情報表示装置１に表示することが可能となる。
【０１０８】
また、システム装置から配信される運行情報だけでなく、オペレータ（駅員等）が入力した運行情報も、配信サーバ５００から運行情報表示装置１へと配信されるよう構成してもよい。具体的には、例えば、配信サーバ５００に無線接続された設定用タブレット端末６００や、配信サーバ５００に有線接続された入力装置（キーボードやマウスなど）などを用いて、オペレータが運行情報（文字や数字など）を入力し、その入力した運行情報が、運行情報表示装置１のディスプレイ２０，７０に表示されるよう構成することも可能である。
【０１０９】
また、配信サーバ５００は、設定用タブレット端末６００等から所定の運行情報（例えば、異常時案内用運行情報）を運行情報表示装置１へと配信するよう指示された場合に、列車の遅延および運休を含む異常が発生したとみなすよう構成することも可能である。このように構成することによって、例えば、配信サーバ５００は、列車の遅延および運休を含む異常が発生したとみなした場合に、配信サーバ５００に予め記憶されている異常時映像データ（例えば、異常の発生を報知する文字（「異常発生！」等）を含む映像を表示するための映像データ）を運行情報表示装置１へと配信することができ、これにより、運行情報表示装置１のディスプレイ２０，７０に、運行情報画像を含む映像だけでなく、異常時映像データに基づく映像も表示することが可能となる。なお、異常時映像データに基づく映像は、運行情報画像を含む映像に重畳して表示するようにしてもよい。配信サーバ５００が列車の遅延および運休を含む異常が発生したとみなした場合に、当該配信サーバ５００によって実行される処理は、配信サーバ５００に予め記憶されている異常時映像データを運行情報表示装置１へと配信する処理に限ることはなく、適宜任意に変更可能である。
【符号の説明】
【０１１０】
１  運行情報表示装置
１０  筐体
１１ａ  前面開口
２０  ディスプレイ
２１  表示部
４０  内部電源
５０  キャスター
７０  下部ディスプレイ（第２ディスプレイ）
７１  表示部
１００  運行情報提供システム
５００  配信サーバ（情報配信手段）
６００  設定用タブレット端末（情報選択手段）
【図１】
2015093490.tif 000003
【図２】
2015093490.tif 000004
【図５】
2015093490.tif 000005
【図６】
2015093490.tif 000006
【図７】
2015093490.tif 000007
【図８】
2015093490.tif 000008
【図９】
2015093490.tif 000009
【図１０】
2015093490.tif 000010
【図３】
2015093490.tif 000011
【図４】
2015093490.tif 000012
【図１１】
2015093490.tif 000013